(57)【要約】【課題】電気的に接続される接地具またはケーブルなどを装置内からコンパクトに引出し、周囲の作業性の改善および接続部にかかる荷重の低減を実現することが可能な通電装置を得ること。【解決手段】通電装置２０は、固定側断路部１と接離する可動側断路部２２と、この可動側断路部２２に接続された内部導体の一端に形成されるとともに気中に露出したブッシング端子部２４と、このブッシング端子２４に取り付けられるとともに、その一端が斜め下方に向いた傾斜部を有する端子２６と、前記傾斜部の上斜面を斜め下方に延長した仮想面にその先端がほぼ接するとともに絶縁性の材料で構成された支持具２８と、を備える。【選択図】図１
2010259264.tif 000002
【特許請求の範囲】
【請求項１】
電路に接続された開閉装置の固定側断路部と接離する可動側断路部と、
この可動側断路部に接続された内部導体の一端に形成されるとともに気中に露出した第１の端子部と、
前記第１の端子部に取り付けられるとともに、その一端が斜め下方に向いた傾斜部を有する第２の端子部と、
前記傾斜部の上斜面を斜め下方に延長した仮想面にその先端がほぼ接するとともに絶縁性の材料で構成された支持部と、
を備えることを特徴とする通電装置。
【請求項２】
前記第２の端子部は、側面の形状が「く」の字であり、この「く」の字の一辺が略水平に前記第１の端子部に取り付けられるとともに、この一辺と鈍角をなす他辺が斜め下方に向かって延伸して前記傾斜部を形成していることを特徴とする請求項１に記載の通電装置。
【請求項３】
前記傾斜部の上斜面上には突起部が設けられていることを特徴とする請求項１または２に記載の通電装置。
【請求項４】
操作棒と、この操作棒の先端部に設けられた先端金具と、この先端金具に接続された接地線と、を備えた接地具の前記先端金具を前記突起部に接続するとともに、前記操作棒を前記支持部にて支持したことを特徴とする請求項３に記載の通電装置。
【請求項５】
ケーブル本体と、このケーブル本体の端子部と、を備えたケーブルの前記端子部を前記第２の端子部に接続するとともに、前記ケーブル本体を前記支持部にて支持したことを特徴とする請求項１または２に記載の通電装置。
【発明の詳細な説明】
【技術分野】
【０００１】
本発明は、電路を開閉する開閉装置等の試験等に用いられる通電装置に関するものである。
【背景技術】
【０００２】
例えば特許文献１に記載されているように、内部導体が固体絶縁物で絶縁されたいわゆる固体絶縁開閉装置は固定部と可動部とを備え、可動部はその移動により固定部に対して電気的に接離するよう構成されている。また、固定部には、電力ケーブルに接続された第１の固定側断路部と、母線に電気的に接続された第２の固定側断路部とが設けられている。一方、可動部には、第１の固定側断路部と接離する第１の可動側断路部と、第２の固定側断路部と接離する第２の可動側断路部と、第１および第２の可動側断路部間に配設された遮断部とが設けられている。
【０００３】
ところで、上記固体絶縁開閉装置の可動部の代わりに固定部に挿入され、送電線路の検電もしくは接地、耐電圧試験、または事故点探査などの試験等に用いられる通電装置（固体絶縁通電装置）が知られている。
【０００４】
通電装置は可動部を構成し、上記固定部の第１の固定側断路部と接離する可動側断路部と、この可動側断路部の下端部に設けられたブッシングとを備えている。また、可動側断路部の内部には中心導体が延設され、この中心導体は固体絶縁物で絶縁され、さらにその下端部はブッシング端子部として気中に露出している。そして、通電装置が固定部に挿入されると、ブッシング端子部から電力ケーブルまで送電線路が形成される。また、可動側断路部およびブッシングは移動可能な支持台車に固定されている。
【０００５】
このように構成された通電装置では、送電線路に対して容易に電気的な操作を行うことが可能となる。例えば、送電線路の接地を行う場合は、接地具の先端金具をブッシング端子部に固着することにより行われる。また、高電圧発生装置からのケーブルをブッシング端子部に接続して電圧を作用させることにより、耐電圧試験を行うことができる。
【先行技術文献】
【特許文献】
【０００６】
【特許文献１】特開平５-２０９７０号公報
【発明の概要】
【発明が解決しようとする課題】
【０００７】
上記従来の通電装置では、ブッシング端子部はブッシングから概略鉛直下向きに突き出ている。したがって、例えば、接地具を接続する場合、接地具の先端金具をブッシング端子部の導体に取り付けることになり、接地具は装置から水平に突き出る形となる。そのため、接地具が試験作業者等の作業の障害になり、あるいは引っ掛けて接地具が外れるなどの問題点を有していた。
【０００８】
また、接続部のみで接地具を保持することになり、接続部に過大な荷重がかかり損傷する場合があるなどの問題点もあった。
【０００９】
また、耐電圧試験時などにブッシング端子部に接続するケーブルなどは高電圧が作用するため、金属で構成されている支持台車と接触すると絶縁上の問題が発生することがあった。
【００１０】
本発明は、上記に鑑みてなされたものであって、電気的に接続される接地具またはケーブルなどを装置内からコンパクトに引出し、周囲の作業性の改善および接続部にかかる荷重の低減を実現することが可能な通電装置を得ることを目的とする。
【課題を解決するための手段】
【００１１】
上述した課題を解決し、目的を達成するために、本発明にかかる通電装置は、電路に接続された開閉装置の固定側断路部と接離する可動側断路部と、この可動側断路部に接続された内部導体の一端に形成されるとともに気中に露出した第１の端子部と、この第１の端子部に取り付けられるとともに、その一端が斜め下方に向いた傾斜部を有する第２の端子部と、前記傾斜部の上斜面を斜め下方に延長した仮想面にその先端がほぼ接するとともに絶縁性の材料で構成された支持部と、を備えることを特徴とする。
【発明の効果】
【００１２】
この発明によれば、その一端が斜め下方に向いた傾斜部を有する第２の端子部と、前記傾斜部の上斜面を斜め下方に延長した仮想面にその先端がほぼ接するとともに絶縁性の材料で構成された支持部を設けるようにしたので、例えば接地具またはケーブルの端子を前記第２の端子部に接続して、接地具またはケーブルを斜め下方に引出し、それらの一部を前記支持部で支持できる。これにより、電気的に接続される接地具またはケーブルなどを通電装置内からコンパクトに引出し、周囲の作業性の改善および接続部にかかる荷重の低減を実現することが可能となる。
【図面の簡単な説明】
【００１３】
【図１】図１は、実施の形態１にかかる通電装置の外観を示す側面図である。
【図２】図２は、実施の形態１における通電装置の運用形態の一例を示す側面図である。
【図３】図３は、実施の形態２における通電装置の運用形態の一例を示す側面図である。
【図４】図４は、従来の固体絶縁開閉装置の外観を示す側面図であり、特に断路部開放状態を示す図である。
【図５】図５は、従来の固体絶縁開閉装置の一例の外観を示す側面図であり、特に断路部閉成状態を示す図である。
【図６】図６は、従来の通電装置の外観を示す側面図である。
【発明を実施するための形態】
【００１４】
以下に、本発明にかかる通電装置の実施の形態を図面に基づいて詳細に説明する。なお、この実施の形態によりこの発明が限定されるものではない。
【００１５】
実施の形態１．
図１は、本実施の形態にかかる通電装置２０の外観を示す側面図であり、特に、可動な通電装置２０が開閉装置の固定部１に投入された閉成状態を示す図である。開閉装置は、例えば固体絶縁開閉装置である。
【００１６】
図１において、固定部１は、上述のように固体絶縁開閉装置に属するものであり、ケーブル継手６を介して電力ケーブル５に電気的に接続された第１の固定側断路部３ａと、母線８に電気的に接続された第２の固定側断路部３ｂとを備えている。
【００１７】
通電装置２０は、可動部２１で構成されており、固定部１の第１の固定側断路部３ａと接離する可動側断路部２２と、可動側断路部２２の下端部に設けられたブッシング２３とを備えている。また、可動側断路部２２の内部には図示しない中心導体が延設されるとともに、この中心導体はその周りを固体絶縁物で絶縁されている。すなわち、通電装置２０は例えば固体絶縁通電装置である。さらに、中心導体の下端部はブッシング端子部２４となり気中に露出している。図示例では、可動側断路部２２と第１の固定側断路部３ａとが接続され、電力ケーブル５からブッシング端子部２４まで電気的に接続された送電線路が形成されている。可動側断路部２２およびブッシング２３は、車輪１０により移動可能な例えば金属製の基台部である支持台車２５に固定されている。
【００１８】
また、通電装置２０には、ブッシング端子部２４に端子２６が取り付けられており、その端子２６はその一端が斜め下方に向いた「く」の字形状をしている。詳細には、端子２６の側面の形状が「く」の字であり、「く」の字の一辺が略水平にブッシング端子部２４に取り付けられるとともに、この一辺と鈍角をなす他辺が斜め下方に向かって延伸している。このように端子２６は、「く」の字の他辺からなる傾斜部を有し、その一端は斜め下方に向いている。また、端子２６の上斜面部分には棒状の突起部２７が設けられている。突起部２７は、導電性の部材からなる。
【００１９】
一方、支持台車２５には、絶縁性の材料で構成された支持具２８が設けられている。この支持具２８は、その先端が端子２６の上斜面部分を斜め下方に延長した仮想面とほぼ接するように支持台車２５に固定されている。図示例では、支持台車２５はブッシング端子部２４の下方に略水平な平担部を有し、支持具２８は該平担部の端部（固定部１側と反対側の端部）と支持台車２５の側面の上端部とからなる角部に設けられ、斜め上方に突き出るように立設されている。
【００２０】
なお、通電装置２０は、固体絶縁開閉装置の可動部の代わりに固定部１に挿入され、送電線路の検電もしくは接地、耐電圧試験、または事故点探査などに用いられる。
【００２１】
ここで、従来の固体絶縁開閉装置と通電装置２０との関係について説明する。図４は従来の固体絶縁開閉装置の外観を示す側面図であり、特に断路部開放状態を示す図である。また、図５は従来の固体絶縁開閉装置の一例の外観を示す側面図であり、特に断路部閉成状態を示す図である。
【００２２】
図４、図５に示すように、この固体絶縁開閉装置は固定部１と可動部２とを具備するものであり、可動部２はその移動により固定部１に対して電気的に接離するよう構成されている。固定部１の構成は図１と同様であるので省略する。一方、可動部２には、固定部１の第１の固定側断路部３ａと接離する第１の可動側断路部４ａと、第２の固定側断路部３ｂと接離する第２の可動側断路部４ｂと、第１の可動側断路部４ａと第２の可動側断路部４ｂとの間に配設され、その間を電気的に開閉する遮断部９と、が設けられている。また、この可動部２には車輪１０が設けられており、移動できるよう構成されている。
【００２３】
また、可動部２が固定部１から開離した開成状態の固体絶縁開閉装置において（図４）、可動部２を矢印Ａ方向へ移動させることにより、第１の可動側断路部４ａと第２の可動側断路部４ｂが、それぞれ第１の固定側断路部３ａと第２の固定側断路部３ｂに電気的に接触して、固体絶縁開閉装置は閉成状態となる（図５）。
【００２４】
このように、固体絶縁開閉装置では、固定部１に可動部２が接離するよう構成されているが、例えば固定部１に接続されている電力ケーブル５などの試験等が必要となったとき、遮断部９を備えた可動部１を取り除いて、その代わりに本実施の形態の通電装置２０を接続して試験等を行う（図１）。
【００２５】
次に、通電装置２０の運用形態の一例について説明する。図２は、本実施の形態における通電装置２０の運用形態の一例を示す側面図であり、送電線路の接地を行うために接地具２９を端子２６に取り付けた場合の図である。図２において、接地具２９は、例えば操作棒３１、この操作棒３１の先端部に設けられた先端金具３０、およびこの先端金具３０に接続された接地線５０を備えている。そして、先端金具３０は突起部２７に固着されており、これによりブッシング端子部２４は端子２６を介して接地される。また、支持部２８の先端部は操作棒３１に当接しており、操作棒３１は支持具２８により斜め下方から支持されている。したがって、操作棒３１は、端子２６の傾斜面部分の傾斜角度と概略同じ角度で支持されることとなる。なお、操作棒３１は、必要に応じて図示しない固定具によって支持具２８に固定してもよい。
【００２６】
以上のように構成された本実施の形態にかかる通電装置２０の動作について説明する。図２に示すように、接地具２９を端子２６に取り付けた場合、接地具２９は先端金具３０部分と操作棒３１の途中部分（支持具２８による支持部分）で（固定）支持されている。したがって、十分離れた二点で接地具２９の重量が支えられていることから、先端金具３０に過大な力がかかることはない。
【００２７】
本実施の形態によれば、ブッシング端子部２４に「く」の字状の端子２６を設けるとともに、この端子２６に接続される接地具２９などを接続部以外で支持する絶縁性の支持具２８を設けたことにより、接地具２９などの一端を端子２６に接続して、接地具２９の操作棒３１を斜め下方に引出し、それらの一部を支持具２８で支持できる。これにより、通電装置２０から斜め下方に引き出された接地具２９などが作業者等の作業の障害になり、または引っ掛けて接地具２９が外れることなどがなくなる。なお、支持具２８で接地具２９を固定することが好ましい。
【００２８】
また、接続部に過大な荷重がかからなくなり、先端金具３０を損傷することがない。
【００２９】
また、突起部２７を設けることにより、先端金具３０の端子２６への取り付けが容易となる。
【００３０】
実施の形態２．
本実施の形態では、通電装置２０の運用形態の別の一例について説明する。通電装置２０の構成は実施の形態１と同様である。図３は、本実施の形態における通電装置２０の運用形態の一例を示す側面図であり、耐電圧試験を行うために高電圧発生装置からのケーブル３２を端子２６に取り付けた場合の図である。図３において、ケーブル３２の端子部３３は、端子２６の上斜面側にボルト３４により締結されている。また、支持部２８の先端部はケーブル３２に当接しており、ケーブル３２は支持具２８により斜め下方から支持されている。なお、ケーブル３２は、必要に応じて図示しない固定具によって支持具２８に固定してもよい。
【００３１】
次に動作について説明する。図３に示すように、ケーブル３２を端子２６に取り付けた場合は、ケーブル３２は端子部３３とケーブル３２の途中部分（支持具２８による支持部分）で（固定）支持されている。したがって、端子部３３に過大な力がかかることがなく、さらに、ケーブル３２が金属製の支持台車２５に近接することはなく、また他相のケーブルが接続されている場合は、それらのケーブルとも近接することがない。
【００３２】
本実施の形態によれば、ブッシング端子部２４に「く」の字状の端子２６を設けるとともに、この端子２６に接続されるケーブル３２などを接続部以外で支持する絶縁性の支持具２８を設けたことにより、ケーブル３２などの一端を端子２６に接続して、ケーブル３２を斜め下方に引出し、それらの一部を支持具２８で支持できる。これにより、通電装置２０から斜め下方に引き出されたケーブル３２などが作業者等の作業の障害になることなどがなくなる。なお、支持具２８でケーブル３２を固定することが好ましい。
【００３３】
さらに、支持具２８で支持されているため、ケーブル３２が、金属で構成されている支持台車２５と接触することがなく、絶縁も確保されるとともに、ケーブル３２の配線が容易になる。
【００３４】
次に、実施の形態１，２と従来の通電装置の比較について説明する。図６は、従来の通電装置の外観を示す側面図であり、断路部閉成状態を示している。なお、図１と同一の構成要素には同一の符号を付してその詳細な説明を省略する。
【００３５】
図６において、可動側断路部２２の下端部にはブッシング２３が設けられ、このブッシング２３からブッシング端子部２４は概略鉛直下向きに突き出ている。したがって、例えば、接地具を接続する場合、接地具の先端金具をブッシング端子部２４の導体に取り付けることになり、接地具は装置から水平に突き出る形となる。そのため、接地具が試験作業者等の作業の障害となり、あるいは引っ掛けて接地具が外れるなどの問題点を有していた。また、接続部のみで接地具を保持することになり、接続部に過大な荷重がかかり損傷する場合があるなどの問題点もあった。
【００３６】
これに対して、実施の形態１，２では、ブッシング端子部２４に「く」の字形状の端子２６を介在させ接地具２９等を接続する。ブッシング端子部２４は概略鉛直下向きに突き出ているので、「く」の字の一辺は略水平に突き出る形となるが、「く」の字の他辺が斜め下方に引き出されるので、接地具２９等を斜め下方にコンパクトに引き出すことができる。したがって、作業性の改善等を図ることができ、さらに支持具２８を設けているので接続部にかかる荷重を低減して損傷等を回避することができる。
【００３７】
また、図６においては、耐電圧試験時などにブッシング端子部２４に接続するケーブルなどは高電圧が作用するため、金属で構成されている支持台車２５と接触すると絶縁上の問題が発生することがあった。
【００３８】
これに対して、実施の形態２では、ケーブル３２が支持具２８で支持されているため支持台車２５と接触することがなく、絶縁上の問題が発生しないのは既に説明したとおりである。
【産業上の利用可能性】
【００３９】
以上のように、本発明にかかる通電装置は、固体絶縁開閉装置などの試験等に有用である。
【符号の説明】
【００４０】
２０  通電装置
２２  可動側断路部
２３  ブッシング
２４  ブッシング端子部
２５  支持台車
２６  端子
２７  突起部
２８  支持具
２９  接地具
３０  先端金具
３１  操作棒
３２  ケーブル
３４  ボルト
【図１】
2010259264.tif 000003
【図２】
2010259264.tif 000004
【図３】
2010259264.tif 000005
【図４】
2010259264.tif 000006
【図５】
2010259264.tif 000007
【図６】
2010259264.tif 000008